(57)【要約】【課題】漏れ防止用の溝を設ける必要がなく、よって製造効率が良く、しかも漏れを有効に抑制することが可能な吸収性物品を提供する。【解決手段】表面シートおよび裏面シートならびに両シート間に配置された吸収体を備え、これら両シートおよび吸収体より幅寸法の小さな高吸収性ポリマーシートを裏面シートおよび吸収体間であって吸収性物品の幅方向中央部に配置する。高吸収性ポリマーシートが尿等の水分を吸収して膨潤した際、吸収体および表面シートが高吸収性ポリマーシートによって押圧され厚み方向に隆起することにより装着者の肌側に密着するとともに、高吸収性ポリマーシートの側方であって裏面シートおよび吸収体間に吸収性物品の長手方向に延びる空間が形成されることにより空間を伝って尿等の水分を拡散する。【選択図】図１
2014168501.tif 000002
【特許請求の範囲】
【請求項１】
装着時に装着者の肌と当接する表面シートと、前記表面シートにおける前記装着者の肌と当接する側とは反対側に配置された裏面シートと、前記表面シートおよび前記裏面シート間に配置された吸収体とを備え、
前記表面シート、前記裏面シートおよび前記吸収体より幅寸法の小さな高吸収性ポリマーシートを前記裏面シートおよび前記吸収体間であって当該吸収性物品の幅方向中央部に配置し、
前記高吸収性ポリマーシートが尿等の水分を吸収して膨潤した際に、前記吸収体および前記表面シートが前記高吸収性ポリマーシートによって押圧され厚み方向に隆起することにより装着者の肌側に密着するとともに、前記高吸収性ポリマーシートの側方であって前記裏面シートおよび前記吸収体間に当該吸収性物品の長手方向に延びる空間が形成されることにより前記空間を伝って尿等の水分を拡散することを特徴とする吸収性物品。
【請求項２】
請求項１記載の吸収性物品において、
前記高吸収性ポリマーシートは、粒状の高吸収性ポリマーまたは前記粒状の高吸収性ポリマーと親水性繊維との混合体を液透過性シートによって保持したものであることを特徴とする吸収性物品。
【請求項３】
請求項２記載の吸収性物品において、
前記高吸収性ポリマーは、その尿または人工尿を吸収する前後における膨潤倍率が３０〜６０倍のポリマーであることを特徴とする吸収性物品。
【請求項４】
請求項１ないし３のいずれか１項に記載の吸収性物品において、
前記高吸収性ポリマーシートは、その幅寸法が前記吸収体の最も狭い箇所の幅寸法に対し２０〜５０％に形成されていることを特徴とする吸収性物品。
【請求項５】
請求項１ないし４のいずれか１項に記載の吸収性物品において、
前記高吸収性ポリマーシートより幅寸法の大きなキャリアシートが前記裏面シートおよび前記高吸収性ポリマーシート間に配置されることにより、前記空間が前記高吸収性ポリマーシートの側方にて前記キャリアシートおよび前記吸収体間に形成されることを特徴とする吸収性物品。
【発明の詳細な説明】
【技術分野】
【０００１】
本発明は、使い捨ておむつ、または生理用ナプキン等として用いられる吸収性物品に関する。
【背景技術】
【０００２】
使い捨ておむつ、または生理用ナプキン等として用いられる吸収性物品は、その構成要素の一つである液透過性の表面シートを装着者の肌と当接するように装着するのが一般であるところ、装着時に表面シートと肌との間に隙間が生じたり、あるいは装着後の体動によって同様に隙間が生じたりすることがあり、このようにして隙間が生じるとこれを原因として、漏れ（横漏れ）が発生することがある。
【０００３】
このような漏れに対する策として従来、表面における左右両側において側縁から内方に向けて一対の疎水性領域を形成し、この疎水性領域に、吸収性物品の長手方向に沿って連続したまたは非連続の溝（防漏溝）を設けた吸収性物品が特許文献１に掲載されている。
【先行技術文献】
【特許文献】
【０００４】
【特許文献１】特開平９−１６８５６３号公報
【０００５】
上記従来の吸収性物品は、その構成要素であるシートに漏れ防止用の溝を設けたものであって、吸収性物品に体圧が掛かって頂部シートと底部シートとの間の空間が潰れても溝が空間として残るため、この溝に尿等の水分が流入し、よって尿等の水分が装着者の肌側方向へ逆流するのを防止するようにしたものである。
【０００６】
しかしながら上記従来技術の場合は、頂部シートと底部シートの少なくとも一方に溝を設けるため、その加工工程が必要とされ、よって製造効率があまり良くなく、製造コストが高いと云う問題がある。また上記したように装着時に表面シートと肌との間に隙間が生じた場合には、溝が設けられていても漏れが発生する場合がある。
【発明の概要】
【発明が解決しようとする課題】
【０００７】
本発明は以上の点に鑑みて、漏れ防止用の溝を設ける必要がなく、よって製造効率が良く、しかも漏れを有効に抑制することが可能な吸収性物品を提供することを目的とする。
【課題を解決するための手段】
【０００８】
上記目的を達成するため、本発明の請求項１による吸収性物品は、装着時に装着者の肌と当接する表面シートと、前記表面シートにおける前記装着者の肌と当接する側とは反対側に配置された裏面シートと、前記表面シートおよび前記裏面シート間に配置された吸収体とを備え、前記表面シート、前記裏面シートおよび前記吸収体より幅寸法の小さな高吸収性ポリマーシートを前記裏面シートおよび前記吸収体間であって当該吸収性物品の幅方向中央部に配置し、前記高吸収性ポリマーシートが尿等の水分を吸収して膨潤した際に、前記吸収体および前記表面シートが前記高吸収性ポリマーシートによって押圧され厚み方向に隆起することにより装着者の肌側に密着するとともに、前記高吸収性ポリマーシートの側方であって前記裏面シートおよび前記吸収体間に当該吸収性物品の長手方向に延びる空間が形成されることにより前記空間を伝って尿等の水分を拡散することを特徴とする。
【０００９】
また、本発明の請求項２による吸収性物品は、上記した請求項１記載の吸収性物品において、前記高吸収性ポリマーシートは、粒状の高吸収性ポリマーまたは前記粒状の高吸収性ポリマーと親水性繊維との混合体を液透過性シートによって保持したものであることを特徴とする。
【００１０】
また、本発明の請求項３による吸収性物品は、上記した請求項２記載の吸収性物品において、前記高吸収性ポリマーは、その尿または人工尿を吸収する前後における膨潤倍率が３０〜６０倍のポリマーであることを特徴とする。
【００１１】
また、本発明の請求項４による吸収性物品は、上記した請求項１ないし３のいずれか１項に記載の吸収性物品において、前記高吸収性ポリマーシートは、その幅寸法が前記吸収体の最も狭い箇所の幅寸法に対し２０〜５０％に形成されていることを特徴とする。
【００１２】
更にまた、本発明の請求項５による吸収性物品は、上記した請求項１ないし４のいずれか１項に記載の吸収性物品において、前記高吸収性ポリマーシートより幅寸法の大きなキャリアシートが前記裏面シートおよび前記高吸収性ポリマーシート間に配置されることにより、前記空間が前記高吸収性ポリマーシートの側方にて前記キャリアシートおよび前記吸収体間に形成されることを特徴とする。
【００１３】
上記構成を備える本発明の吸収性物品においては、表面シート、裏面シートおよび吸収体とともに高吸収性ポリマーシートが備えられ、この高吸収性ポリマーシートが、表面シート、裏面シートおよび吸収体より幅寸法を小さく設定されるとともに裏面シートおよび吸収体間であって吸収性物品の幅方向中央部に配置されている。高吸収性ポリマーシートは尿等の水分（排泄物）を吸収して膨潤したときにその厚み寸法を大きく増大させる特性を備えている。したがって吸収性物品の装着時、高吸収性ポリマーシートが尿等の水分を吸収して膨潤すると、吸収性物品の幅方向中央部において高吸収性ポリマーシートが吸収体および表面シートを押圧し、押圧された吸収体および表面シートが厚み方向に隆起して装着者の肌に密着するため、表面シートと肌との間に隙間が生じていてもこの隙間を閉塞することが可能とされる。また併せて吸収性物品の装着時、高吸収性ポリマーシートが尿等の水分を吸収して膨潤すると、高吸収性ポリマーシートの側方であって裏面シートおよび吸収体間に吸収性物品の長手方向に延びる空間が形成され、この空間を伝って尿等の水分を拡散するため、吸収性物品がその平面上広い範囲で尿等の水分を効率良く吸収することが可能とされる。上記空間は、裏面シートおよび吸収体間に高吸収性ポリマーシートが介在するため、この高吸収性ポリマーシートの厚み分に相当する隙間状の空間として裏面シートおよび吸収体間に形成される。
【００１４】
高吸収性ポリマーシートとしては、粒状の高吸収性ポリマーを液透過性シートによって保持したものが好適であり、これによれば尿等の水分が液透過性シートを透過して高吸収性ポリマーシートの内部へ浸入したときに高吸収性ポリマーが尿等の水分を吸収して膨潤するため、高吸収性ポリマーシートがシートとしての厚み寸法を大きく増大させることが可能とされる。粒状の高吸収性ポリマーは親水性繊維との混合体であっても良い。
【００１５】
尚、高吸収性ポリマーは、その尿等の水分を吸収する前後における膨潤倍率が小さ過ぎると吸収体および表面シートが十分に隆起しないため、装着者との間の隙間を閉塞することができない。また膨潤倍率が大き過ぎると吸収体および表面シートが隆起し過ぎるため、装着者に違和感を与えてしまうことがある。そのため高吸収性ポリマーの尿または人工尿を吸収した際の膨潤倍率はこれを３０〜６０倍の範囲に設定するのが好ましい。膨潤倍率が３０倍を下回ると吸収体および表面シートが十分に隆起しないため、装着者との間の隙間を閉塞することができず、漏れが起こりやすくなる。膨潤倍率が６０倍を上回ると吸収体および表面シートが隆起し過ぎるため、装着の違和感が強くなり、装着者が不快に感じることが多くなる。
【００１６】
また、高吸収性ポリマーシートは、上記したように表面シート、裏面シートおよび吸収体より幅寸法を小さく設定されるとともに吸収性物品の幅方向中央部に配置されるものであるところ、その幅寸法はこれを吸収体の最も狭い箇所の幅寸法に対し２０〜５０％の範囲に形成するのが好ましい。これは幅が狭過ぎると吸収量が少なく、よって性能（水分吸収性）を十分に発揮することができず、幅が広過ぎると、吸収する尿等の水分が分散されてしまって厚みが十分に拡大せず、よって性能（膨潤および押圧による肌と表面シートの密着性）を十分に発揮することができないからである。
【００１７】
また、本発明の吸収性物品は、上記したように表面シート、裏面シートおよび吸収体ならびに高吸収性ポリマーシートよりなる４層の積層構造とされるが、このほか第５層以降の積層体を追加する構造であっても良く、例えば、高吸収性ポリマーシートおよび吸収体を担持するキャリアシートを裏面シートおよび高吸収性ポリマーシート間に配置したり、吸収した尿等の水分の逆流を抑制する表面下シートを表面シートおよび吸収体間に配置したりすることが考えられ、前者の、キャリアシートを裏面シートおよび高吸収性ポリマーシート間に配置する場合には、上記した空間が高吸収性ポリマーシートの側方にてキャリアシートおよび吸収体間に形成されることになる。
【発明の効果】
【００１８】
本発明は、以下の効果を奏する。
【００１９】
すなわち本発明においては以上説明したように、吸収性物品の装着時、高吸収性ポリマーシートが水分を吸収して膨潤したときに吸収性物品の幅方向中央部において高吸収性ポリマーシートが吸収体および表面シートを押圧し、押圧された吸収体および表面シートが厚み方向に隆起して装着者の肌に密着するため、表面シートと肌との間に隙間が生じていてもこの隙間を閉塞することが可能とされる。したがって隙間の閉塞に伴って横漏れの漏れ口が閉じられるため、漏れの発生を抑制することができる。また吸収性物品の装着時、高吸収性ポリマーシートが尿等の水分を吸収して膨潤したときに高吸収性ポリマーシートの側方であって裏面シートおよび吸収体間に吸収性物品の長手方向に延びる空間が形成され、この空間を伝って尿等の水分を拡散するため、吸収性物品がその平面上広い範囲で尿等の水分を効率良く吸収することが可能とされる。したがって水分吸収量の増大に伴って漏れ口へ向けての流量が減少するため、これによっても漏れの発生を抑制することができる。
【００２０】
また、本発明は、上記したように構成部品の膨潤・押圧・隆起により密着性を高めるとともに構成部品間に形成される隙間状の空間を利用して水分吸収性を高めるようにしたものであって、上記従来技術のように構成部品であるシートにあらかじめ漏れ防止用の溝を設けるものではない。したがって溝の加工工程を省略し、製造効率を向上させることができる。
【００２１】
したがって以上により、本発明所期の目的どおり、漏れ防止用の溝を設ける必要がなく、よって製造効率が良く、しかも漏れを有効に抑制することができる吸収性物品を提供することができる。
【００２２】
また、高吸収性ポリマーの尿または人工尿を吸収する前後における膨潤倍率を３０〜６０倍に設定することにより吸収体および表面シートを適度に隆起させることができ、高吸収性ポリマーシートの幅寸法を吸収体の最も狭い箇所の幅寸法に対し２０〜５０％に形成することにより水分吸収性を確保することと膨潤および押圧による肌と表面シートの密着性を高めることを両立させることができる。また、キャリアシートを追加する場合にはこのキャリアシートによって高吸収性ポリマーシートおよび吸収体延いては吸収性物品全体をしっかりと保持・担持することができる。また、キャリアシートを使用することで、尿等の水分の拡散性を補助し、高吸収性ポリマーシートを単体で使用した場合よりもさらに吸収性が向上する。
【図面の簡単な説明】
【００２３】
【図１】本発明の第１実施の形態に係る吸収性物品の構造説明図
【図２】（Ａ）は同吸収性物品に備えられる高吸収性ポリマーシートの構造説明図、（Ｂ）は同高吸収性ポリマーシートの他の例を示す構造説明図
【図３】（Ａ）および（Ｂ）とも、同高吸収性ポリマーシートの幅寸法の説明図
【図４】同吸収性物品が尿等の水分を吸収して膨潤した状態を示す全体説明図
【図５】同吸収性物品が尿等の水分を吸収して膨潤した状態を示す部分説明図
【図６】本発明の第２実施の形態に係る吸収性物品の構造説明図
【図７】本発明の第３実施の形態に係る吸収性物品の構造説明図
【図８】本発明の第４実施の形態に係る吸収性物品の構造説明図
【発明を実施するための形態】
【００２４】
つぎに本発明の実施の形態を図面にしたがって説明する。
【００２５】
第１実施の形態・・・・
図１は、本発明の第１実施の形態に係る吸収性物品１をその長手方向と直交する方向に裁断した概略断面を示し、また各構成部品をその厚み方向（図では上下方向）に分解した状態の概略断面を示している。
【００２６】
当該実施の形態に係る吸収性物品１においては、装着時に装着者の肌（図示せず）と当接する表面シート１１と、表面シート１１における装着者の肌と当接する側（図では上側、以下、内側とも称する）とは反対側（図では下側、以下、外側とも称する）に配置された裏面シート１２と、表面シート１１および裏面シート１２間に配置された吸収体１３とが備えられ、これら表面シート１１、裏面シート１２および吸収体１３より幅寸法ｗ１の小さな高吸収性ポリマーシート１４が裏面シート１２および吸収体１３間であって当該吸収性物品１の幅方向中央部に配置されている。また表面シート１１の内側の面に、漏れ防止用の立体ギャザー１８が幅方向に一対、拝み合わせの状態で配置されている。
【００２７】
表面シート（トップシートとも称する）１１は、液透過性のシートよりなり、シートは例えば、不織布よりなる。このような不織布を構成する繊維としては、セルロース、レーヨン、コットンなどの親水性繊維のほか、ポリプロピレン、ポリエチレン、ポリエステル、ポリアミドなどの疎水性繊維の表面を界面活性剤で親水処理したものが使用される。
【００２８】
裏面シート（バックシートとも称する）１２は、液不透過性のシートよりなり、シートは例えば、ポリエチレン等の薄い樹脂フィルムよりなる。裏面シート１２は、漏れ防止のため液不透過性であるものの、装着時にムレが生じないように或る程度の通気性を備えることが望ましい。
【００２９】
吸収体１３は、その名のとおり液吸収性の素材よりなり、素材は例えば、パルプよりなるもの、パルプを主材として高分子吸収ポリマーを併用したものよりなる。パルプはクッション性に優れる材料である。
【００３０】
高吸収性ポリマーシート１４は、図２（Ａ）に示すように、粒状の高吸収性ポリマー（SAP(Super Absorbent Polymer)）１５を液透過性シート１７によって保持したものであって、すなわち粒状の高吸収性ポリマー１５が多数、複数（例えば２〜３枚、図では２枚）の液透過性シート１７の間に挟持（包持）されることにより形成されている。また高吸収性ポリマーシート１４は、図２（Ｂ）に示すように、粒状の高吸収性ポリマー１５と親水性繊維１６との混合体を液透過性シート１７によって保持したものであっても良く、すなわち粒状の高吸収性ポリマー１５が多数、親水性繊維１６と混合されて混合体とされ、この混合体が複数（例えば２〜３枚、図では２枚）の液透過性シート１７の間に挟持（包持）されることにより形成されたものであっても良い。親水性繊維１６にはパルプ繊維等の親水性繊維のほかに、高分子材料を原料とする親水性化学繊維も含まれる。
【００３１】
液透過性シート１７は例えば、ティッシュ、吸収紙、親水性不織布、パルプシートなどよりなり、液透過性を備えるものであれば使用可能である。
【００３２】
高吸収性ポリマー１５は例えば、ポリアクリル酸系、セルロース系、でんぷん系、アクリロニトリル系などの樹脂よりなり、尿等の水分を吸収すると膨潤して体積を増大させる特性を備えている。
【００３３】
この高吸収性ポリマー１５は、その尿または人工尿を吸収する前後における膨潤倍率（尿または人工尿を吸収していない状態を基準とする尿または人工尿を吸収した際の膨潤倍率）を３０〜６０倍の範囲に設定するのが好ましい。これは上記したように膨潤倍率が３０倍を下回ると吸収体１３および表面シート１１が十分に隆起しないため、装着者との間の隙間を閉塞することができずに漏れが起こりやすくなり、６０倍を上回ると吸収体１３および表面シート１１が隆起し過ぎるため、装着の違和感が強くなって装着者が不快に感じることが多くなるからである。
【００３４】
尚、膨潤倍率は例えば、以下のようにして測定する。
（１）０．９％塩化ナトリウム溶液を人工尿とする。
（２）２００ｍｌメスシリンダーに高吸収性ポリマー（SAP）を４．００ｇ投入し、高さを測定する。
（３）人工尿２００ｍｌを上記の高吸収性ポリマー（SAP）の入ったメスシリンダーに投入し、軽くかき混ぜる。
（４）３０分間静置して、高吸収性ポリマー（SAP）が吸水してゲル化した部分の高さを測定する。
【００３５】
また、高吸収性ポリマーシート１４は、そのポリマー含有量を７０〜１５０g/m2の範囲に設定するのが好ましい。これはポリマー含有量が７０g/m2を下回ると性能（水分吸収性）を十分に発揮することができず、１５０g/m2を上回るとコスト高になるからである。
【００３６】
また、高吸収性ポリマーシート１４は、当該吸収性物品１の幅方向中央部に配置されるが、図３（Ａ）に示すように、その幅寸法ｗ１を吸収体１３の幅寸法ｗ２の２０〜５０％の範囲に設定するのが好ましく、図３（Ｂ）に示すように吸収体１３に幅寸法の広狭がある場合には、その幅寸法ｗ１を吸収体１３の最も狭い箇所の幅寸法ｗ３に対し２０〜５０％に設定することが好ましい。これは上記したように幅ｗ１が２０％を下回ると吸収量が少なく、よって性能（水分吸収性）を十分に発揮することができず、５０％を上回ると、吸収する尿等の水分が分散されてしまって厚みが十分に拡大せず、よって性能（膨潤および押圧による密着性の向上）を十分に発揮することができないからである。
【００３７】
上記表面シート１１、裏面シート１２、吸収体１３および高吸収性ポリマーシート１４よりなる各構成部品は、図１に示した状態で重ねられ積層され、互いに対向し接触する部分で接合される。接合は例えばホットメルト系の接着剤を用いて全面接着されることが多い。
【００３８】
上記構成を備える吸収性物品１においては、表面シート１１、裏面シート１２および吸収体１３とともに高吸収性ポリマーシート１４が備えられ、この高吸収性ポリマーシート１４が、表面シート１１、裏面シート１２および吸収体１３より幅寸法ｗ１を小さく設定されるとともに裏面シート１２および吸収体１３間であって吸収性物品１の幅方向中央部に配置され、この高吸収性ポリマーシート１４は尿等の水分を吸収して膨潤したときにその厚み寸法を大きく増大させる特性を備えている。したがって吸収性物品１の装着時、図４に示すように高吸収性ポリマーシート１４が尿等の水分を吸収して膨潤すると、吸収性物品１の幅方向中央部において高吸収性ポリマーシート１４が吸収体１３および表面シート１１を内側方向（図では上方）へ向けて押圧し、押圧された吸収体１３および表面シート１１が同方向へ向けて一部凸状に隆起し、これにより装着者の肌に密着する。したがって表面シート１１と肌との間に隙間が生じていてもこの隙間を閉塞し、閉塞に伴って横漏れの漏れ口が閉じられるため、漏れの発生を有効に抑制することができる。また吸収性物品１の装着時、高吸収性ポリマーシート１４が尿等の水分を吸収して膨潤すると、図５に示すように高吸収性ポリマーシート１４の側方であって裏面シート１２および吸収体１３間に吸収性物品１の長手方向に延びる隙間状の空間１９が形成され、この隙間状の空間１９を伝って尿等の水分が長手方向に拡散する。したがって吸収性物品１がその平面上広い範囲で尿等の水分を効率良く吸収し、吸収量の増大に伴って漏れ口へ向けての流量が減少するため、これによっても漏れの発生を有効に抑制することができる。紙おむつなどの吸収性物品１は、その平面上全面で吸収する状態が最も吸収力を発揮できるため、長手方向に素早く拡散するほど尿等の水分の漏れが減少する。また尿等の水分の拡散が早くなるため、吸収速度が速くなり、尿等の水分の漏れを防止することも可能となる。
【００３９】
また、上記構成を備える吸収性物品１は、上記したように構成部品の膨潤・押圧・隆起により密着性を高めるとともに構成部品間に形成される隙間状の空間１９を利用して水分吸収性を高めるようにしたものであって、上記従来技術のように構成部品であるシートにあらかじめ漏れ防止用の溝を設けるものではない。したがって溝を加工する工程を省略し、その分製造効率を向上させることができる。
【００４０】
したがって以上により、漏れ防止用の溝を設ける必要がなく、よって製造効率が良く、しかも漏れを有効に抑制することができる吸収性物品１を提供することができる。
【００４１】
尚、上記構成において、隙間状の空間１９は、高吸収性ポリマーシート１４の幅方向両側にそれぞれ形成される。また隙間状の空間１９は、高吸収性ポリマーシート１４の長手方向全長に亙って形成される。但し、吸収体１３および高吸収性ポリマーシート１４より表面シート１１および裏面シート１２のほうが長手方向に大きく形成されているので、空間１９の長手方向端部は、表面シート１１および裏面シート１２の接合部によって閉塞されている。したがって尿等の水分が空間１９の長手方向端部まで流れることがあっても外部へ漏れることはない（通常は、流れる途中で吸収体１３や高吸収性ポリマーシート１４に吸収されるので、尿等の水分が空間１９の長手方向端部まで流れることはなく、よって外部へ漏れることはない）。
【００４２】
また、上記構成の吸収性物品１は、表面シート１１、裏面シート１２、吸収体１３および高吸収性ポリマーシート１４よりなる４層の積層構造とされているが、このほか第５層以降の積層体を追加することも考えられるので、以下にその例を説明する。
【００４３】
第２実施の形態・・・・
図６に示す例では、第５層の積層体として、キャリアシート２０が裏面シート１２および高吸収性ポリマーシート１４間に追加されている。キャリアシート２０はその名のとおり高吸収性ポリマーシート１４および吸収体１３を担持する機能を発揮するものであって、このようなキャリアシート２０を追加することにより高吸収性ポリマーシート１４および吸収体１３延いては吸収性物品１全体をしっかりと保持・担持することができる。キャリアシート２０は例えば、ティッシュ、吸収紙、親水性不織布、パルプシートなどよりなり、液透過性を備えるものであれば使用可能である。尚、キャリアシート２０はその機能上、その幅寸法を高吸収性ポリマーシート１４より大きく設定されるので、このようにキャリアシート２０を追加する場合には、上記隙間状の空間１９が高吸収性ポリマーシート１４の側方にてキャリアシート２０および吸収体１３間に形成されることになる。
【００４４】
第３実施の形態・・・・
図７に示す例では、第５層の積層体として、表面下シート（トップ下シートとも称する）２１が表面シート１１および吸収体１３間に追加されている。表面下シート２１は、吸収した尿等の水分の逆流を抑制する機能を発揮するものであって、このような表面下シート２１を追加することにより、吸収した尿等の水分が吸収性物品１の内部から外部へ逆流して漏れるのを抑制することができる。表面下シート２１は例えば、多数の小孔を備える孔開きフィルムよりなる。孔開きフィルムは単層または二層の構造体からなり、尿等の水分を表面シート１１側から吸収体１３側に良好に移行させるために小さな孔が多数形成された孔開きの構造を備えており、その材質としては、ポリエチレン、エチレン酢酸ビニル共重合体、ポリプロピレンなどの樹脂類が好適に用いられる。
【００４５】
第４実施の形態・・・・
図８に示す例では、第５層および第６層の積層体として、上記図６のキャリアシート２０と、上記図７の表面下シート２１が双方ともに追加されている。したがって吸収性物品１は全６層に亙る積層構造とされている。
【００４６】
つぎに、本発明による吸収性物品の性能を確認するため供試体を作成し、下記の方法で比較試験を行ったので、その内容および結果を説明する。
【００４７】
供試体は、以下のとおりに作成した。
【００４８】
実施例１・・・・
液透過性の表面シート、表面下シート、吸収体、キャリアシートおよび液不透過性の裏面シートよりなるパッドを作成し、液透過性シート間に高吸収性ポリマーが挟持されて形成された高吸収性ポリマーシート（ポリマー量１２０g/m2、ポリマー膨潤倍率５０倍）を吸収体およびキャリアシート間であってパッドの幅方向中央部に幅６cmで配置した。表面下シートには、パルプ１００％クレープ紙１２g/m2を使用した。
【００４９】
実施例２・・・・
液透過性の表面シート、表面下シート、吸収体、キャリアシートおよび液不透過性の裏面シートよりなるパッドを作成し、液透過性シート間に高吸収性ポリマーが挟持されて形成された高吸収性ポリマーシート（ポリマー量１２０g/m2、ポリマー膨潤倍率５０倍）を吸収体およびキャリアシート間であってパッドの幅方向中央部に幅６cmで配置した。表面下シートには、孔開きフィルム２３g/m2を使用した。
【００５０】
実施例３・・・・
液透過性の表面シート、表面下シート、２層に亙る吸収体、キャリアシートおよび液不透過性の裏面シートよりなるパッドを作成し、液透過性シート間に高吸収性ポリマーが挟持されて形成された高吸収性ポリマーシート（ポリマー量１２０g/m2、ポリマー膨潤倍率５０倍）を２層に亙る吸収体間であってパッドの幅方向中央部に幅６cmで配置した。表面下シートには、パルプ１００％クレープ紙１２g/m2を使用した。
【００５１】
実施例４・・・・
液透過性の表面シート、表面下シート、吸収体、キャリアシートおよび液不透過性の裏面シートよりなるパッドを作成し、液透過性シート間に高吸収性ポリマーが挟持されて形成された高吸収性ポリマーシート（ポリマー量１２０g/m2、ポリマー膨潤倍率３５倍）を吸収体およびキャリアシート間であってパッドの幅方向中央部に幅６cmで配置した。表面下シートには、パルプ１００％クレープ紙１２g/m2を使用した。
【００５２】
比較例・・・・
液透過性の表面シート、表面下シート、吸収体、キャリアシートおよび液不透過性の裏面シートのみよりなるパッドを作成した。表面下シートには、パルプ１００％クレープ紙１２g/m2を使用した。
【００５３】
試験方法・・・・
上記実施例および比較例に係る各供試体をマネキンに装着し、側臥位の体位で、アウターに吸収体の無いパンツを用いて排尿試験を行った。すなわち生理食塩水（０．９％）を定量ポンプで１０cc／秒の添加速度で添加し、アウターから横漏れするまでの時間を測定した。
【００５４】
試験結果・・・・
【表１】
2014168501.tif 000003
【００５５】
上記試験結果に示されるように、高吸収性ポリマーシートを配置した実施例１〜実施例４はいずれも比較例と比較して漏れ出すまでの時間が長く、よって優れた横漏れ防止効果が発揮されることを確認することができた。これは、吸収した尿により膨潤した高吸収性ポリマーが、尿道口と肌の間を埋め、以後の尿吸収において密着を維持するとともに、高吸収性ポリマーシートの側方に形成される隙間状の空間を伝って尿が広く拡散することで、尿の横漏れを防止できたものと考えられる。
【００５６】
また、表面下シートに孔開きフィルム２３g/m2を使用した実施例２は、パルプ１００％クレープ紙１２g/m2を使用した実施例１、実施例３および実施例４と比較しても漏れ出すまでの時間が長く、よって優れた横漏れ防止効果が発揮されることを確認することができた。これは孔開きフィルムを使用した場合、排尿後の表面シート側への逆戻りが少なく、パッド長手方向への拡散性が良いためと考えられる。
【００５７】
以上のように、高吸収性ポリマーシートを配置すること、および表面下シートに孔開きフィルムを用いることにより、密着性および拡散性が向上し、横漏れ防止効果を高めることができる。
【００５８】
また、漏れ防止効果を一層高めるため、以下の構造を採用することにしても良い。
（１）高吸収性ポリマーシートが尿等の水分を吸収して膨潤したときに、その内側に配置された吸収体および表面シートを装着者の肌側方向へ押し付けやすくするため、これら吸収体および／または表面シートに襞（ひだ）や意図的な皺（しわ）を設ける等して、幅方向のゆとり寸法を設定する。
（２）高吸収性ポリマーシートの膨潤量を増大するため、当該シートを平面上一部（例えば当該シートにおける幅方向中央部もしくは幅方向両端部）または全部で複数枚重ね合わせる。
【産業上の利用可能性】
【００５９】
本発明の吸収性物品は、特に、大人用の使い捨ておむつとして用いられるのに適しているが、その用途を限定するものではない。
【符号の説明】
【００６０】
１  吸収性物品
１１  表面シート
１２  裏面シート
１３  吸収体
１４  高吸収性ポリマーシート
１５  高吸収性ポリマー
１６  親水性繊維
１７  液透過性シート
１８  立体ギャザー
１９  空間
２０  キャリアシート
２１  表面下シート
【図１】
2014168501.tif 000004
【図２】
2014168501.tif 000005
【図３】
2014168501.tif 000006
【図４】
2014168501.tif 000007
【図５】
2014168501.tif 000008
【図６】
2014168501.tif 000009
【図７】
2014168501.tif 000010
【図８】
2014168501.tif 000011